(57)【要約】【課題】扱胴に作物が接当したときに激しい衝撃を起すおそれがある場合であっても、充分な耐久性を維持することが望まれていた。【解決手段】脱穀装置の扱室に備えられる扱胴３０が、回転支軸２９に沿って延設されるとともに周方向に間隔を隔てて並ぶ複数の棒状部材５８と、棒状部材５８の延設方向に間隔を隔てて棒状部材５８から径方向外方に向けて突出する状態で設けられた複数の扱歯５９とを備える。そして、棒状部材５８の回転方向上手側箇所及び回転方向下手側箇所の少なくとも一方に、棒状部材５８の外周形状に沿う断面形状を有し且つ棒状部材５８の延設方向に沿って延びる板状の側部部材６８が備えられている。【選択図】図８
2017035015.tif 000002
【特許請求の範囲】
【請求項１】
刈取穀稈を扱室にて脱穀処理する脱穀装置が備えられ、
前記扱室に、回転支軸のまわりで回転駆動される扱胴と、前記扱胴の外周部に沿う受網とが備えられ、
前記扱胴は、前記回転支軸に沿って延設されるとともに周方向に間隔を隔てて並ぶ複数の棒状部材と、前記棒状部材の延設方向に間隔を隔てて前記棒状部材から径方向外方に向けて突出する状態で設けられた複数の扱歯とを備え、
前記棒状部材の回転方向上手側箇所及び回転方向下手側箇所の少なくとも一方に、前記棒状部材の外周形状に沿う断面形状を有し且つ前記棒状部材の延設方向に沿って延びる板状の側部部材が備えられているコンバイン。
【請求項２】
前記側部部材が、前記棒状部材の外周部のうち前記扱歯が取り付けられる範囲以外の領域において複数の前記扱歯にわたって前記棒状部材の延設方向に沿って延びる請求項１に記載のコンバイン。
【請求項３】
前記側部部材の断面形状が、前記棒状部材の外周形状に沿いつつ屈曲する屈曲部を有する請求項１又は２に記載のコンバイン。
【請求項４】
前記棒状部材の外周部のうち隣り合う前記扱歯同士の間の領域において、前記棒状部材の延設方向に沿って延びる板状の扱歯間部材が備えられている請求項１〜３のいずれか１項に記載のコンバイン。
【請求項５】
前記回転支軸における軸心方向の中間部に支持部材が支持され、
複数の前記棒状部材の夫々における前記軸心方向の中間部が前記支持部材に連結され、
前記扱歯間部材が、前記棒状部材の外周部のうち前記支持部材を挟んでその軸心方向両側に位置する一対の前記扱歯同士の間の領域に備えられている請求項４記載のコンバイン。
【発明の詳細な説明】
【技術分野】
【０００１】
本発明は、刈取穀稈を脱穀処理して穀粒を回収するように構成されているコンバインに関する。
【背景技術】
【０００２】
コンバインは、刈取穀稈を扱室にて脱穀処理する脱穀装置を備えており、扱室に備えられる扱胴が、回転支軸に沿って延設されるとともに周方向に間隔を隔てて並ぶ複数の棒状部材と、棒状部材の延設方向に間隔を隔てて棒状部材から径方向外方に向けて突出する状態で設けられた複数の扱歯とを備えたものがあった。そして、この種のコンバインにおいて、従来では、丸パイプ材からなる棒状部材に丸棒材からなる扱歯を挿通させて、溶接又はネジ締結にて固定する構成となっていた（例えば、特許文献１参照）。
【先行技術文献】
【特許文献】
【０００３】
【特許文献１】特開２００７−２０４５０号公報
【発明の概要】
【発明が解決しようとする課題】
【０００４】
上記従来構成では、対象作物として稲や麦などの刈取脱穀作業を行う場合には良好に脱穀処理を行うことが可能である。しかし、例えば、トウモロコシ等の別の種類の作物を対象作物として刈取脱穀作業を行う場合に、扱室内で扱胴の棒状部材や扱歯が大きめの質量を有する作物に接当したときに、大きな駆動反力を受けて激しい衝撃を起すことがある。そして、上記従来構成の扱胴では、このような作物との接当時の衝撃に起因して、棒状部材が回転方向上手側あるいは下手側に折り曲がったり、作物との接当による摩耗が激しく短期間の使用で破損するおそれがある等、耐久性の面で改善の余地があった。
【０００５】
そこで、扱胴に作物が接当したときに激しい衝撃を起すおそれがある場合であっても、充分な耐久性を維持することが望まれていた。
【課題を解決するための手段】
【０００６】
本発明に係るコンバインの特徴構成は、
刈取穀稈を扱室にて脱穀処理する脱穀装置が備えられ、
前記扱室に、回転支軸のまわりで回転駆動される扱胴と、前記扱胴の外周部に沿う受網とが備えられ、
前記扱胴は、前記回転支軸に沿って延設されるとともに周方向に間隔を隔てて並ぶ複数の棒状部材と、前記棒状部材の延設方向に間隔を隔てて前記棒状部材から径方向外方に向けて突出する状態で設けられた複数の扱歯とを備え、
前記棒状部材の回転方向上手側箇所及び回転方向下手側箇所の少なくとも一方に、前記棒状部材の外周形状に沿う断面形状を有し且つ前記棒状部材の延設方向に沿って延びる板状の側部部材が備えられている点にある。
【０００７】
本発明によれば、扱胴が回転支軸のまわりで回転駆動されると、棒状部材は回転支軸の軸心まわりで回転して、径方向外方に突出する扱歯により扱室に供給された作物に対して打撃を与えて脱穀処理を行う。扱胴が回転するに伴って、扱歯だけでなく棒状部材が作物に対して打撃を与えることになる。
【０００８】
棒状部材が作物に対して打撃を与えるとき、作物の質量が大であれば棒状部材は大きな駆動反力を受けて衝撃が大きい場合がある。そして、棒状部材の回転方向上手側箇所及び回転方向下手側箇所の少なくとも一方に、板状の側部部材が備えられる。この板状の側部部材が備えられる箇所においては、棒状部材と板状の側部部材との重ね合わせ構造となって剛性を高めることができる。その結果、棒状部材が受ける衝撃が大きい場合であっても、この板状の側部部材によって衝撃が緩和されて、棒状部材が回転方向上手側あるいは下手側に折り曲がったり、作物との接当により激しく摩耗して短期間の使用で破損することを抑制できる。
【０００９】
側部部材は、棒状部材の外周形状に沿う断面形状を有し且つ棒状部材の延設方向に沿って延びる板状に形成されるので、例えば、棒状部材の全体にわたって厚みを大きくしたり外径を大きくさせて大型化させる等の構造改良に比べて、全体重量の増加を抑止しながら支持強度の補強を行うことができる。
【００１０】
従って、扱胴全体の大重量化を抑制して強度補強を図ることができるものでありながら、扱胴に作物が接当したときに大きな衝撃を受けるおそれがある場合であっても、充分な耐久性を維持することが可能となった。
【００１１】
本発明においては、
前記側部部材が、前記棒状部材の外周部のうち前記扱歯が取り付けられる範囲以外の領域において複数の前記扱歯にわたって前記棒状部材の延設方向に沿って延びると好適である。
【００１２】
本構成によれば、側部部材が、複数の扱歯にわたって棒状部材の延設方向に沿って延びているので、複数の扱歯が作物と接当するときに各扱歯に対して作用する衝撃力を側部部材によって分散させることが可能となる。しかも、側部部材は、扱歯が取り付けられる範囲以外の領域において棒状部材の延設方向に沿って延びるので、棒状部材を迂回するように複雑な形状にする必要がなく、直線状に延びる簡単な形状で構成することができる。
【００１３】
従って、簡単な形状の側部部材によって、衝撃力を分散させることにより、一部の箇所に力が集中的に作用して損傷することを回避し易い。
【００１４】
本発明においては、
前記側部部材の断面形状が、前記棒状部材の外周形状に沿いつつ屈曲する屈曲部を有すると好適である。
【００１５】
本構成によれば、側部部材は、棒状部材の外周形状に沿いながらも屈曲しているので、簡単な構造でありながら、例えば、滑らかな湾曲形状に構成する場合に比べて、大きな強度を有し変形し難くなる利点がある。
【００１６】
このように大きな衝撃力が掛かる箇所における棒状部材の支持強度を、簡単な構造の側部部材によって補強することができる。
【００１７】
本発明においては、
前記棒状部材の外周部のうち隣り合う前記扱歯同士の間の領域において、前記棒状部材の延設方向に沿って延びる板状の扱歯間部材が備えられていると好適である。
【００１８】
本構成によれば、棒状部材の隣り合う扱歯同士の間の領域を扱歯間部材によって補強することができ、棒状部材が、扱胴の径方向外方あるいは径方向内方に向けて折れ曲がったり、変形したりすることを回避し易い。
【００１９】
本発明においては、
前記回転支軸における軸心方向の中間部に支持部材が支持され、
複数の前記棒状部材の夫々における前記軸心方向の中間部が前記支持部材に連結され、
前記扱歯間部材が、前記棒状部材の外周部のうち前記支持部材を挟んでその軸心方向両側に位置する一対の前記扱歯同士の間の領域に備えられていると好適である。
【００２０】
本構成によれば、複数の棒状部材は夫々、軸心方向の中間部が支持部材に連結して支持される。尚、各棒状部材の軸心方向両側部は回転支軸と一体回転するように支持される。つまり、複数の棒状部材は、軸心方向両側部と軸心方向の中間部が夫々、回転支軸と一体回転するように支持されることになる。
【００２１】
このように軸心方向両側部と軸心方向の中間部との３箇所にて支持される棒状部材は、作物との接当による衝撃力や扱室内に滞留する作物からの押圧力等により、軸心方向一側部と中間部との間、及び、軸心方向他側部と中間部との間の夫々の領域において、湾曲状に変形するおそれがある。
【００２２】
そこで、棒状部材の外周部のうち中間部の支持部材の軸心方向両側にわたり扱歯間部材が備えられている。この扱歯間部材は、棒状部材における中間部の支持部材の軸心方向両側の夫々に対して、軸心方向に沿って所定の範囲にわたって補強することができる。
【００２３】
その結果、棒状部材の軸心方向一側部と中間部との間、及び、軸心方向他側部と中間部との間の夫々の領域において、径方向に沿って湾曲状に変形するように作物から力が加わっても、扱歯間部材によって変形を抑制することができる。ところで、棒状部材に対して回転方向に沿って湾曲状に変形するように作物から力が加わった場合には、側部部材によって変形を抑制することができる。
【００２４】
上記したような棒状部材の径方向に沿う変形を抑制するためには、複数の扱歯同士の間の全ての領域に扱歯間部材を備える構成とすることが好ましいが、そのように全ての領域に備える構成では、扱歯間部材が大型になり、扱胴全体が大重量化する不利がある。
【００２５】
本構成によれば、最適な箇所に小型の扱歯間部材を備えることにより、極力簡単な構成で、扱胴全体の大重量化を招くことなく、棒状部材の変形を抑制することが可能となった。
【図面の簡単な説明】
【００２６】
【図１】コンバインの全体側面図である。
【図２】コンバインの全体平面図である。
【図３】フィーダの縦断側面図である。
【図４】刈取搬送部の横断平面図である。
【図５】脱穀装置の縦断側面図である。
【図６】脱穀装置の縦断正面図である。
【図７】扱胴の一部縦断正面図である。
【図８】扱胴の一部切欠き斜視図である。
【図９】棒状部材を示す図である。
【図１０】棒状部材を示す図である。
【発明を実施するための形態】
【００２７】
以下、本発明に係るコンバインの実施形態をコンバインの一例としての普通型コンバインに適用した場合について図面に基づいて説明する。
【００２８】
図１及び図２に示すように、普通型コンバインは、走行車体１の前部に走行に伴って収穫対象の植立作物を刈り取って後方に搬送する刈取搬送部２が昇降自在に備えられている。走行車体には、刈取搬送部２からの刈取穀稈を脱穀処理する脱穀装置３と、脱穀処理で得られた穀粒を貯留する穀粒タンク４とが、左右に並ぶ状態で備えられ、穀粒タンク４に貯留される穀粒を機外に排出するための穀粒排出装置５が備えられている。このコンバインは、トウモロコシ等を対象作物とする構成となっている。尚、一部の構成を変更することで、稲や麦、あるいは、大豆等も収穫可能に構成されている。
【００２９】
この実施形態で、機体の前後方向を定義するときは、作業状態における機体進行方向に沿って定義し、機体の左右方向を定義するときは、機体進行方向視で見た状態で左右を定義する。すなわち、図１，２に符号（Ｆ）で示す方向が機体前側、図１，２に符号（Ｂ）で示す方向が機体後側である。図２に符号（Ｌ）で示す方向が機体左側、図２に符号（Ｒ）で示す方向が機体右側である。
【００３０】
走行車体１は、車体フレーム６の下部に左右一対のクローラ式走行装置７を備え、車体フレーム６の前部右側領域に搭乗運転部８を備えており、この搭乗運転部８の上方がキャビン９にて覆われる構成となっている。
【００３１】
刈取搬送部２は、植立穀稈を刈り取る刈取部１０と、刈り取られた穀稈を脱穀装置３に供給搬送する掻上げ搬送式のフィーダ１１とを備えている。刈取部１０は、収穫対象穀稈の穂先側を後方に掻き込み回転リール１２、収穫対象穀稈の株元側を切断するバリカン型の切断機構１３、刈取穀稈を左右方向の所定箇所に寄せ集めて後方に送り出すオーガ１４等を備えている。刈取部１０は、刈取り対象作物と未刈作物とを仕分ける大型の分草体１０ａを備えている。
【００３２】
刈取搬送部２は、脱穀装置３との接続端部となるフィーダ１１の後端部に配備した左右向きのフィーダ駆動軸１５を支点にして、その軸芯Ｘ周りで昇降揺動自在に構成され、車体フレーム６とフィーダ１１とにわたって架設した油圧式の昇降シリンダ１６の伸縮作動により、昇降操作を行うことができるように構成されている。
【００３３】
図３及び図４に示すように、フィーダ１１は、角筒状の搬送ケース１７の内部に、掻き上げ搬送式の搬送コンベア１８を備えて構成されている。つまり、フィーダ駆動軸１５に備えられたスプロケット１９と、前部側の従動軸２０に備えられた従動回転体２１とにわたって左右一対の無端回動チェーン２２が巻回され、その無端回動チェーン２２の周方向に所定ピッチをあけて左右の無端回動チェーン２２にわたって係止搬送体２３を架設して搬送コンベア１８が構成されている。
【００３４】
係止搬送体２３は、左右の無端回動チェーン２２のチェーンプレート２４にボルトで連結されている。係止搬送体２３は、帯板状部材を側面視Ｕ字状に折り曲げて形成され、そのＵ字状に折り曲げた内側部分に長手方向に沿って丸棒材２５を一体的に連結して支持強度を高めている。
【００３５】
図５及び図６に示すように、脱穀装置３は、前壁部３ａ、後壁部３ｂ、左右側壁部３ｃ，３ｄ、天板３ｅ等によって区画された空間に刈取穀稈を扱き処理する扱室２６が形成されている。扱室２６の下側には扱き処理で得た選別対象の処理物に選別処理を施す選別部２７を備えている。脱穀装置３の後端下部には、脱穀処理後の排出物を細断して機外に排出する細断装置２８を備えている。
【００３６】
扱室２６には、機体前後方向に沿う回転支軸２９のまわりで回転駆動される扱胴３０と、扱胴３０の外周部に沿う受網３１とが備えられ、その前端下方部位に供給口３２が形成され、その供給口３２にフィーダ１１の後端部が接続され、そのフィーダ１１で搬送された刈取穀稈の全体が脱穀処理物として供給口３２から投入供給される。
【００３７】
図６に示すように、天板３ｅは、扱胴３０の先端の回転軌跡に略沿って湾曲する円弧状に湾曲した形状となっており、扱胴３０の上部側を上方から覆う閉状態と、扱胴３０の上部側を開放する開状態とに、左側の側縁部３３に備えた複数のヒンジ３４を支点にした開閉揺動操作が可能となるように構成されている。右側の側縁部３５には、天板３ｅを閉状態で固定する複数のボルト３６が備えられている。
【００３８】
天板３ｅの内面には、扱胴３０の回転作動に伴って、扱室２６に搬送された脱穀処理物を処理物移送方向下手側（機体後方側）に向けて案内する円弧状の複数の送塵弁３７が、前後方向に所定間隔を隔てて並ぶように固定装備されている。
【００３９】
つまり、天板３ｅを円弧状の湾曲面に形成することで、扱胴３０の回転に伴って扱室２６の上部に掻き上げ搬送された脱穀処理物を、天板３ｅに激しく衝突させることなく、天板３ｅや送塵弁３７に沿わせながら、処理物移送方向下手側に向けて滑らかに案内することができる。
【００４０】
選別部２７は、受網３１から漏下した脱穀処理物を機体後方側に向けて移送しながら揺動選別する揺動選別機構３８、揺動選別機構３８に精選別用の選別風を供給する主唐箕３９及び副唐箕４０、揺動選別機構３８から漏下して選別風を受けながら流下する単粒化穀粒を一番物として回収する一番回収部４１、脱粒していない未処理物等を二番物として回収する二番回収部４２等を備えている。
【００４１】
一番回収部４１には回収した一番物（穀粒）を左右方向一方側に搬送する一番搬送スクリュー４３が備えられ、この一番搬送スクリュー４３の搬送終端部には一番物を穀粒タンク４の上部に揚送するバケット式の揚送コンベヤ４４が連通状態で備えられている。
【００４２】
揺動選別機構３８は、後部下方側に備えた偏心カム式の駆動機構４５の作動で前後揺動するシーブケース４６を備え、そのシーブケース４６における上部側箇所に、粗選別用のグレンパン４７と、チャフシーブ４８と、ストローラック４９とを、その順でシーブケース４６の前端から後方に向けて連なる状態で備えている。チャフシーブ４８やストローラック４９の下方側には、精選別用のグレンシーブ５０と、そのグレンシーブ５０と連なるように二番物選別用のチャフシーブ５１とを備えている。
【００４３】
扱胴３０について説明する。
図５に示すように、扱胴３０は、脱穀装置３の前壁部３ａと後壁部３ｂとにより前後軸心まわりで回転自在に支持された前後向きの回転支軸２９を備えて、その回転支軸２９を中心に回転することで刈取搬送部２から供給される刈取穀稈に扱き処理を行う。
【００４４】
扱胴３０は、その前端部に装備した円錐台状の掻込部５２と、その掻込部５２の後端に連接した扱き処理部５３とを備えている。掻込部５２の外周面には、扱胴３０の回転作動時に、供給口３２から供給された刈取穀稈を後方の扱き処理部５３に向けて掻き込み搬送する２枚の螺旋歯５４が一体的に装備されている。
【００４５】
扱き処理部５３は、回転支軸２９の前部に一体的に備えられた前部支持部材５５、回転支軸２９の前後中間部に一体的に備えられた中間支持部材５６、回転支軸２９の後端部に一体的に備えられた後部支持部材５７を備えている。それらの各支持部材５５〜５７によって、回転支軸２９に沿う前後向きの姿勢で扱胴３０の周方向に間隔を隔てて並ぶように丸パイプ鋼材などからなる６本の棒状部材５８が支持されている。各棒状部材５８は、径方向外方に向けて突出する姿勢で前後方向に間隔を隔てて並ぶ複数（８本）の扱歯５９を備えている。つまり、扱胴３０は、径方向外方に向けて突出する複数の扱歯５９が、扱き処理部５３の周方向と前後方向とに間隔を隔てて並ぶように整列配備される。
【００４６】
前部支持部材５５、中間支持部材５６、及び、後部支持部材５７は、夫々、回転支軸２９を中心とする円形の板状で、その外周側における回転支軸２９からの等距離の位置に、棒状部材５８の支持連結を可能にする６つの連結部５５Ａ〜５７Ａが、その周方向に等間隔を隔てて並ぶ状態で備えられている。各連結部５５Ａ〜５７Ａは、外周部に棒状部材５８が入り込み係合する凹部（図示せず）を備えるとともに、連結用のボルト挿通孔６０が形成されている。
【００４７】
各棒状部材５８は、機体前後方向に沿って一直線状に形成され、その前端に前部ブラケット６１が、その前後中間部に中間ブラケット６２が、その後端に後部ブラケット６３がそれぞれ一体的に連結されている。そして、前部ブラケット６１、中間ブラケット６２、後部ブラケット６３が、前部支持部材５５の連結部５５Ａ、中間支持部材５６の連結部５６Ａ、後部支持部材５７の連結部５７Ａに各々ボルト連結されている。
【００４８】
図７及び図８に示すように、中間ブラケット６２に形成されたボルト挿通孔６４はボルト６５の軸心方向への挿通のみを許容する丸孔に形成され、裏面にはナット６６が溶接固定されている。このような連結構造は、前部ブラケット６１及び後部ブラケット６３においても同じである。そして、前部支持部材５５の連結部５５Ａ、中間支持部材５６の連結部５６Ａ、後部支持部材５７の連結部５７Ａに形成されたボルト挿通孔６７は、扱胴３０の径方向に長い長孔に形成されている。従って、長孔の範囲内で棒状部材５８の径方向での位置を変更調整することができる。
【００４９】
６本の棒状部材５８の径方向内方側には内部空間Ｓが形成されている。その内部空間Ｓは、各棒状部材５８の間の隙間を通して扱室２６に連通しており、その内部空間Ｓへの脱穀処理物の入り込みを許容する構成となっている。その結果、扱胴３０の回転作動時には、その周囲の脱穀処理物と内部空間Ｓに入り込んだ脱穀処理物とを攪拌しながら、それらの脱穀処理物に対して、棒状部材５８や扱歯５９の打撃や梳き込みなどによる脱穀処理を施すことになる。
【００５０】
扱き処理部５３の内部空間Ｓが扱室２６に連通することで、大量の刈取穀稈が脱穀処理物として扱室２６に供給された場合であっても、扱き処理部５３の内部空間Ｓを脱穀処理用の処理空間として有効利用することができ、これによって、処理空間での脱穀処理物の滞留や処理空間の飽和を回避することができる。
【００５１】
扱胴３０の回転作動時には、複数の扱歯５９だけでなく、扱胴３０の扱き処理部５３を形成する６本の棒状部材５８が、脱穀処理物に作用する扱き処理用の部材として機能することから、脱穀性能や脱穀効率の向上を図ることができる。
【００５２】
図８〜図１０に示すように、棒状部材５８の回転方向上手側箇所及び回転方向下手側箇所の夫々に、棒状部材５８の外周形状に沿う断面形状を有し且つ棒状部材５８の延設方向に沿って延びる板状の側部部材６８が備えられている。この側部部材６８の断面形状が棒状部材５８の外周形状に沿いつつ屈曲する屈曲部６９を有する形状となっている。
【００５３】
具体的には、側部部材６８は、帯板状の部材を略Ｌ字形に屈曲して形成されている。そして、棒状部材５８の外周面に沿うように、且つ、幅方向の中間に位置する屈曲部６９が径方向外方に向けて突出するように、棒状部材５８の外周面に当て付けた状態で幅方向両側を溶接固定して取り付けられている。
【００５４】
説明を加えると、棒状部材５８の回転方向上手側箇所に備えられる側部部材６８は、屈曲部６９が回転方向上手側外方に向けて突出する状態で設けられ、棒状部材５８の回転方向下手側箇所に備えられる側部部材６８は、屈曲部６９が回転方向下手側外方に向けて突出する状態で設けられている。
【００５５】
側部部材６８は、棒状部材５８の外周部のうち扱歯５９が取り付けられる範囲以外の領域において複数の扱歯５９にわたって棒状部材５８の延設方向に沿って延びている。すなわち、図７及び図８に示すように、側部部材６８は、扱歯５９が取り付けられる箇所から周方向に位置ずれした箇所に沿って、棒状部材５８の長手方向（機体前後方向）の略全長にわたって備えられている。但し、中間ブラケット６２との干渉を避けるために、側部部材６８は、中間ブラケット６２が備えられる箇所において前部側部分６８ａと後部側部分６８ｂとに分離されている。
【００５６】
図５及び図８〜図１０に示すように、棒状部材５８の外周部のうち、中間支持部材５６を挟んでその軸心方向両側に位置する一対の扱歯５９同士の間の領域において、棒状部材５８の延設方向に沿って延びる板状の扱歯間部材７０が備えられている。
【００５７】
扱歯間部材７０は、側部部材６８と同様に、断面形状が棒状部材５８の外周形状に沿いつつ屈曲する屈曲部６９を有する形状となっている。すなわち、扱歯間部材７０は、帯板状の部材を略Ｌ字形に屈曲して形成されている。そして、一対の扱歯５９同士の間の領域において、棒状部材５８の外周面に沿うように、且つ、屈曲部６９が径方向外方（棒状部材の長手方向）に向けて突出するように、棒状部材５８の外周面に当て付けた状態で幅方向両側部を溶接固定して取り付けられている。
【００５８】
このように構成することで、棒状部材５８の剛性を高めて、径方向に沿って湾曲状に撓み変形したり、回転方向に沿って湾曲状に撓み変形したりすることを回避することができる。しかも、棒状部材５８における刈取穀稈に対する衝突作用箇所に側部部材６８が備えられるから、収穫作業時に刈取穀稈への衝突作用時に大きな衝撃を受けることがあっても、棒状部材５８が早期に摩耗したりすることがなく、耐久性の向上を図ることができる。
【００５９】
この扱胴３０は、トウモロコシを対象作物とする場合に使用されるものである。尚、稲や麦を対象作物とする場合には、図示はしないが、棒状部材５８の構成が異なり、扱歯５９の個数が多い異なる種類のものを利用することになる。
【００６０】
扱胴３０の回転速度は、トウモロコシを収穫する場合、稲や麦等の作物を収穫する場合に比べて低速に設定される。収穫対象作物が異なると、脱穀に必要とされる扱胴３０の回転速度が異なる値になる。そこで、エンジン７１からの動力を扱胴３０に伝達する伝動機構に備えられたプーリを交換することで、回転速度を変更させるようにしている。
【００６１】
すなわち、図５及び図６に示すように、エンジン７１の動力を脱穀装置３の左右方向一方側箇所から他方側箇所に向けて伝達するカウンター軸７３及びベルト伝動機構７４を介して、脱穀装置３の入力用伝達機構７５に伝達される。そこで、ベルト伝動機構７４のプーリ７６を径の異なる別のプーリに変換することで、扱胴３０の回転速度を変更するように構成されている。
【００６２】
〔別実施形態〕
（１）上記実施形態では、棒状部材５８が丸パイプ鋼材にて構成されたものを示したが、棒状部材５８として、中実状の丸棒鋼材、中実状の角棒鋼材、角パイプ鋼材、アングル材、又はチャンネル材などを採用したものであってもよい。
【００６３】
（２）上記実施形態では、棒状部材５８が６本装備される構成としたが、この構成に代えて、棒状部材５８の装備数量は種々の変更が可能であり、例えば、５本以下あるいは７本以上の棒状部材５８を装備するようにしてもよい。
【００６４】
（３）上記実施形態では、扱歯５９が棒状部材５８に溶接固定される構成としたが、この構成に代えて、扱歯５９を棒状部材５８にボルト連結するようにしてもよい。
【００６５】
（４）上記実施形態では、扱歯５９を丸棒材にて構成したが、この構成に代えて、扱歯５９として、角棒鋼材や丸パイプ材などを採用するようにしてもよく、Ｕ字状やＶ字状に屈曲形成されたものを採用するようにしてもよい。
【００６６】
（５）上記実施形態では、側部部材６８が屈曲部６９を有し断面が略Ｌ字形に形成される構成としたが、この構成に代えて、側部部材６８を丸形の棒状部材５８の外周部に沿う円弧状に湾曲する形状としてもよい。棒状部材が角形や他の形状であれば、側部部材として、棒状部材の外側面に沿うような種々の形状で実施することができる。
【００６７】
（６）上記実施形態では、支持部材としての中間支持部材５６が、円板形状に設けられる構成を示したが、この構成に代えて、中間支持部材５６が、径方向内方側に通過孔を形成する構成、多孔状の円板で構成するもの等、種々の構成で実施することができる。
【００６８】
（７）上記実施形態では、普通型コンバインに適用したものを示したが、本発明は自脱型コンバインにも適用できる。
【産業上の利用可能性】
【００６９】
本発明は、刈取穀稈を脱穀処理して穀粒を回収するように構成されているコンバインに適用できる。
【符号の説明】
【００７０】
３        脱穀装置
２６      扱室
２９      回転支軸
３０      扱胴
３１      受網
５６      支持部材
５８      棒状部材
５９      扱歯
６８      側部部材
６９      屈曲部
７０      扱歯間部材
【図１】
2017035015.tif 000003
【図２】
2017035015.tif 000004
【図３】
2017035015.tif 000005
【図４】
2017035015.tif 000006
【図５】
2017035015.tif 000007
【図６】
2017035015.tif 000008
【図７】
2017035015.tif 000009
【図８】
2017035015.tif 000010
【図９】
2017035015.tif 000011
【図１０】
2017035015.tif 000012